(57)【要約】【課題】治療過程中に簡単にチップユニットの交換を可能にすることによって、治療者の使用利便性が増大した歯科用治療器具を提供する。【解決手段】開示された本発明に係る歯科用治療器具は、治療者によって把持可能なブリッジユニット、ブリッジユニットに対して交換可能な複数のチップユニット、及びブリッジユニットとチップユニットを互いに選択的に結合させる結合ユニットを含み、結合ユニットは、ブリッジユニットに対してチップユニットの一部を挿入させた後、回転させて互いに結合させる。このような構成によれば、様々な種類の歯科用チップを治療者の選択によって容易に交換できるようになる。【選択図】図１
2017148509.tif 000002
【特許請求の範囲】
【請求項１】
治療者によって把持可能なブリッジユニットと、
前記ブリッジユニットに対して交換可能な複数のチップユニットと、
前記ブリッジユニットと前記チップユニットを互いに選択的に結合させる結合ユニットと
を含み、
前記結合ユニットは、前記ブリッジユニットに対して前記チップユニットの一部を挿入させた後、回転させて互いに結合させる、歯科用治療器具。
【請求項２】
前記複数のチップユニットは、互いに異なる形状を有する複数のチップがそれぞれ設けられる、請求項１に記載の歯科用治療器具。
【請求項３】
前記結合ユニットは、前記ブリッジユニットまたはチップユニットのいずれか一方に設けられた結合溝と、前記結合溝に挿入可能なように、前記ブリッジユニットまたはチップユニットのうちの他方に設けられる結合突起とを含む、請求項１に記載の歯科用治療器具。
【請求項４】
前記結合溝は、前記チップユニットが前記ブリッジユニットに対して挿入される方向に形成される第１溝と、前記第１溝から直交方向に延び、前記結合突起が前記結合溝の挿入方向に遊動しないようにガイドする第２溝とを含む、請求項３に記載の歯科用治療器具。
【請求項５】
前記結合溝は、前記ブリッジユニットの両端に長手方向にそれぞれ形成される第１溝と、前記第１溝から直交する前記ブリッジユニットの円周方向に形成される第２溝とを含む、逆Ｌ形状を有する、請求項３に記載の歯科用治療器具。
【請求項６】
前記結合溝は前記ブリッジユニットに設けられ、
前記結合突起は前記チップユニットに設けられる、請求項３に記載の歯科用治療器具。
【請求項７】
前記結合溝は、前記ブリッジユニットの内部に設けられるブリッジブラケットに設けられ、
前記結合突起は、前記チップユニットの内部に設けられるチップブラケットに設けられる、請求項６に記載の歯科用治療器具。
【請求項８】
前記結合ユニットは、前記ブリッジユニットとチップユニットとの間をシールするように、前記ブリッジユニットとチップユニットとの間に設けられるＯリング（Ｏ−ｒｉｎｇ）を含む、請求項１乃至７のいずれかに記載の歯科用治療器具。
【請求項９】
治療者によって把持可能なブリッジユニットと、
互いに異なる形状のチップがそれぞれ設けられた複数のチップ部を含むチップユニットと、
前記複数のチップ部のうち少なくともいずれか１つを前記ブリッジユニットに結合させる結合ユニットと
を含み、
前記結合ユニットは、前記ブリッジユニットに対して前記複数のチップ部の長手方向に挿入された後、回転させて互いに結合されるようにガイドする、歯科用治療器具。
【請求項１０】
前記結合ユニットは、前記ブリッジユニットまたは前記チップユニットのいずれか一方に設けられた結合溝と、前記結合溝に挿入可能なように、前記ブリッジユニットまたはチップユニットのうちの他方に設けられる結合突起とを含む、請求項９に記載の歯科用治療器具。
【請求項１１】
前記結合溝は、前記チップユニットが前記ブリッジユニットに対して挿入される方向に形成される第１溝と、前記第１溝から直交方向に延び、前記結合突起が前記結合溝の挿入方向に遊動しないようにガイドする第２溝とを含む、請求項１０に記載の歯科用治療器具。
【請求項１２】
前記結合溝は、前記ブリッジユニットに設けられ、前記結合突起は、前記チップユニットに設けられ、
前記結合溝は、前記ブリッジユニットの両端に長手方向にそれぞれ形成される第１溝と、前記第１溝から直交する前記ブリッジユニットの円周方向に形成される第２溝とを含む、逆Ｌ形状を有する、請求項１０に記載の歯科用治療器具。
【請求項１３】
前記結合ユニットは、前記ブリッジユニットとチップユニットとの間をシールするように、前記ブリッジユニットとチップユニットとの間に設けられるＯリング（Ｏ−ｒｉｎｇ）を含む、請求項９乃至１２のいずれかに記載の歯科用治療器具。
【発明の詳細な説明】
【技術分野】
【０００１】
本発明は、歯科用手術装置に関し、より具体的には、様々なチップユニットに交換が容易で、施術の利便性が向上した歯科用手術装置に関する。
【背景技術】
【０００２】
虫歯、すなわち、歯牙う蝕症は、歯の頭の部分の表面を覆っている歯牙象牙質を保護する乳白色の半透明で硬い物質である歯牙エナメル質が、口の中に生息するバクテリアによって砂糖又は澱粉などが分解されて生じる酸（ａｃｉｄ）によって損傷することをいう。
【０００３】
虫歯が発生すると、歯科用ハンドピースを用いて歯牙の一部を除去する窩洞を形成した後、形成された窩洞の内部にアマルガム、光重合型レジン、常温重合型レジン、グラスアイオノマー、金インレー、レジンインレー、ジルコニアなどのいずれか１つを充填材として選択して充電する。このとき、窩洞に充填された充填材は、固めて凝縮した後、滑らかにポリッシングすることによって、虫歯治療が仕上がる。
【０００４】
このような虫歯治療の一連の過程の間に、充填材を固めて充填させることができるプラガー（ｐｌｕｇｇｅｒ）、充填材を滑らかに研磨するバーニッシャー（ｂｕｒｎｉｓｈｅｒ）、充填材を歯牙の形状に合わせて形を出すカーバー（ｃａｒｖｅｒ）、口の中を確認するためのミラー（ｍｉｒｒｏｒ）、神経を除去するファイル（ｆｉｌｅ）などのような様々な歯科用チップが使用される。
【０００５】
一方、前記のような様々な歯科用チップは、様々な規格及び形状に形成されて治療者によって選択的に使用される。ところで、一般的な歯科用チップは、取っ手状の一つの治療器具の両端にそれぞれ異なる規格のチップが設けられる。それにより、治療者の歯科治療施術のために、複数のチップが備えられなければならないと共に、互いに異なるチップを交換して握り直さなければならない煩わしい欠点がある。これによって、最近は、治療者の治療の利便性を増大させることができる歯科用治療器具に対する研究が多様に行われている。
【先行技術文献】
【特許文献】
【０００６】
【特許文献１】韓国公開実用新案第２０−２０１３−０００２５３８号公報
【発明の概要】
【発明が解決しようとする課題】
【０００７】
本発明は、上記のような問題点を勘案して案出されたもので、治療過程中に簡単にチップユニットの交換を可能にすることによって、治療者の使用利便性が増大した歯科用治療器具を提供することにその目的がある。
【課題を解決するための手段】
【０００８】
上記目的を達成するための本発明に係る歯科用治療器具は、治療者によって把持可能なブリッジユニット、前記ブリッジユニットに対して交換可能な複数のチップユニット、及び前記ブリッジユニットと前記チップユニットを互いに選択的に結合させる結合ユニットを含み、前記結合ユニットは、前記ブリッジユニットに対して前記チップユニットの一部を挿入させた後、回転させて互いに結合させる。
【０００９】
一側面によれば、前記複数のチップユニットは、互いに異なる形状を有する複数のチップがそれぞれ設けられる。
【００１０】
一側面によれば、前記結合ユニットは、前記ブリッジユニットまたはチップユニットのいずれか一方に設けられた結合溝と、前記結合溝に挿入可能なように、前記ブリッジユニットまたはチップユニットのうちの他方に設けられる結合突起とを含む。
【００１１】
一側面によれば、前記結合溝は、前記チップユニットが前記ブリッジユニットに対して挿入される方向に形成される第１溝と、前記第１溝から直交方向に延び、前記結合突起が前記挿入方向に遊動しないようにガイドする第２溝とを含む。
【００１２】
一側面によれば、前記結合溝は、前記ブリッジユニットの両端に長手方向にそれぞれ形成される第１溝と、前記第１溝から直交する前記ブリッジユニットの円周方向に形成される第２溝とを含む、「┐」形状（逆Ｌ形状）を有する。
【００１３】
一側面によれば、前記結合溝は前記ブリッジユニットに設けられ、前記結合突起は前記チップユニットに設けられる。
【００１４】
一側面によれば、前記結合溝は、前記ブリッジユニットの内部に設けられるブリッジブラケットに設けられ、前記結合突起は、前記チップユニットの内部に設けられるチップブラケットに設けられる。
【００１５】
一側面によれば、前記結合ユニットは、前記ブリッジユニットとチップユニットとの間をシールするように、前記ブリッジユニットとチップユニットとの間に設けられるＯリング（Ｏ−ｒｉｎｇ）を含む。
【００１６】
本発明の好適な一実施例に係る歯科用治療器具は、治療者によって把持可能なブリッジユニット、互いに異なる形状のチップがそれぞれ設けられた複数のチップ部を含むチップユニット、及び前記複数のチップ部のうち少なくともいずれか１つを前記ブリッジユニットに結合させる結合ユニットを含み、前記結合ユニットは、前記ブリッジユニットに対して前記複数のチップ部の長手方向に挿入された後、回転させて互いに結合されるようにガイドする。
【００１７】
一側面によれば、前記結合ユニットは、前記ブリッジユニットまたは前記チップユニットのいずれか一方に設けられた結合溝と、前記結合溝に挿入可能なように、前記ブリッジユニットまたはチップユニットのうちの他方に設けられる結合突起とを含む。
【００１８】
一側面によれば、前記結合溝は、前記チップユニットが前記ブリッジユニットに対して挿入される方向に形成される第１溝と、前記第１溝から直交方向に延び、前記結合突起が前記挿入方向に遊動しないようにガイドする第２溝とを含む。
【００１９】
一側面によれば、前記結合溝は、前記ブリッジユニットの両端に長手方向にそれぞれ形成される第１溝と、前記第１溝から直交する前記ブリッジユニットの円周方向に形成される第２溝とを含む、「┐」形状（逆Ｌ形状）を有する。
【００２０】
一側面によれば、前記結合ユニットは、前記ブリッジユニットとチップユニットとの間をシールするように、前記ブリッジユニットとチップユニットとの間に設けられるＯリング（Ｏ−ｒｉｎｇ）を含む。
【発明の効果】
【００２１】
上記のような構成を有する本発明によれば、第一に、複数のチップユニットのうちのいずれか１つを選択的にブリッジユニットに結合できるので、治療者の施術用途に合わせて所望の組み合わせで提供できるようになる。
【００２２】
第二に、チップユニットがブリッジユニットに対して挿入された後、所定の角度に回転する動作によって、チップユニットとブリッジユニットとの結合力が固定されることによって、交換動作が容易である。
【００２３】
第三に、必要なチップを簡単な交換動作を通じて交換することによって、施術者の利便性を向上させることができる。
【図面の簡単な説明】
【００２４】
【図１】本発明の好適な一実施例に係る歯科用治療器具を概略的に示す斜視図である。
【図２】図１に示されたブリッジユニットに第１及び第２チップ部が結合される動作を順次示す斜視図である。
【図３】図１に示されたブリッジユニットに第１及び第２チップ部が結合される動作を順次示す他の斜視図である。
【図４】図１に示されたブリッジユニットに第３チップ部が結合された状態を概略的に示す斜視図である。
【発明を実施するための形態】
【００２５】
以下、本発明の好適な一実施例を添付の図面を参照して説明する。
【００２６】
図１を参照すると、本発明の好適な一実施例に係る歯科用治療器具１は、ブリッジユニット１０、チップユニット２０及び結合ユニット６０を含む。
【００２７】
前記ブリッジユニット１０は、治療者によって把持可能であり、歯科用治療器具１のボディーである。このようなブリッジユニット１０は、中空の円筒形状を有するブリッジカバー１１、及びブリッジカバー１１の内部に設けられる中空のブリッジブラケット１２を含む。前記ブリッジブラケット１２は、剛性を有するステンレススチール材質で形成されることが好ましい。このようなブリッジユニット１０の両端に、後述するチップユニット２０が設置される。
【００２８】
前記チップユニット２０は、ブリッジユニット１０に対して交換可能なように複数個設けられる。以下では、説明の便宜上、前記チップユニット２０が、互いに異なる形状を有するチップ３１、４１、５１をそれぞれ有する複数のチップ部３０、４０、５０を含む場合を図示及び例示する。すなわち、前記チップユニット２０が、図１乃至図３に示された第１及び第２チップ部３０、４０、及び図４に示された第３チップ部５０のように複数個設けられる。
【００２９】
前記第１チップ部３０は、第１形状を有する第１チップ３１と、第１チップ３１を支持し、治療者によって把持可能な第１チップカバー３２と、第１チップカバー３２の内部に設けられる第１チップブラケット３３とを含む。
【００３０】
前記第１チップ３１が、虫歯の治療時に使用されるプラガー（ｐｌｕｇｇｅｒ）である場合を例示する。前記第１チップカバー３２は、内部に第１チップブラケット３３が挿入され得るように中空の円筒形状を有し、外周面には治療者の把持力のために凹凸が設けられることが好ましい。ここで、前記第１チップカバー３２は、ブリッジカバー１１と連結され、審美性及び把持性のために、第１チップカバー３２とブリッジカバー１１が互いに連結される端部の外径が互いに同一であることが好ましい。
【００３１】
前記第２チップ部４０は、第１チップ３１の第１形状と異なる第２形状を有する第２チップ４１と、第２チップ４１を支持し、治療者によって把持可能な第２チップカバー４２と、第２チップカバー４２の内部に設けられる第２チップブラケット４３とを含む。ここで、前記第２チップ４１の形状を除いた第２チップカバー４２及び第２チップブラケット４３の構成は、第１チップ部３０と同一であるので、詳細な説明は省略する。参考に、前記第２チップ部４０の第２チップ４１がバーニッシャー（ｂｕｒｎｉｓｈｅｒ）である場合を図示及び例示する。
【００３２】
また、図４を参照すると、前記第３チップ部５０は、口の中を確認するためのミラー（ｍｉｒｒｏｒ）である第３チップ５１と、第３チップ５１を支持し、把持可能な第３チップカバー５２と、第３チップカバー５２の内部に設けられる第３チップブラケット５３とを含む。このような第３チップ部５０もまた、第３チップ５１の形状を除いた第３チップカバー５２及び第３チップブラケット５３の構成が第１及び第２チップ部３０、４０と同一であるので、詳細な説明は省略する。
【００３３】
参考に、図１乃至図４の図示では、前記第１乃至第３チップ３１、４１、５１がそれぞれプラガー、バーニッシャー及びミラーである場合を図示及び例示したが、必ずしもこれに限定されるものではない。すなわち、前記チップユニット２０に、図示していないファイル（ｆｉｌｅ）、クランプ（ｃｌａｍｐ）などのように多様な歯科治療用チップが適用可能であることは当然である。
【００３４】
また、前記第１〜第３チップブラケット３３、４３、５３は、中空のブリッジブラケット１２の内部に一部が挿入され得るように、ブリッジブラケット１２よりも小さい外径を有する。
【００３５】
前記結合ユニット６０は、ブリッジユニット１０とチップユニット２０を互いに選択的に結合させる。前記結合ユニット６０は、ブリッジユニット１０またはチップユニット２０のいずれか一方に設けられる結合溝６１、及び結合溝６１に挿入可能なようにブリッジユニット１０またはチップユニット２０のうちの他方に設けられる結合突起６４を含む。本実施例では、前記結合溝６１はブリッジユニット１０に設けられ、結合突起６４はチップユニット２０に設けられる場合を図示及び例示する。
【００３６】
より具体的に、前記結合溝６１は、ブリッジカバー１１の内部に設けられるブリッジブラケット１２に設けられ、結合突起６４は、チップユニット２０のチップブラケット３３、４３、５３にそれぞれ設けられる。このとき、前記結合溝６１は、ブリッジブラケット１２の両端に一対で設けられ、前記結合突起６４は、複数のチップ部３０、４０、５０のそれぞれに設けられる。
【００３７】
前記結合溝６１は、ブリッジユニット１０に対してチップユニット２０が挿入される方向、すなわち、ブリッジユニット１０の長手方向に形成される第１溝６２と、第１溝６２から直交方向、すなわち、ブリッジユニット１０の円周方向に延び、結合突起６４が挿入方向に遊動しないようにガイドする第２溝６３とを含む。このような結合溝６１の第１及び第２溝６２、６３は、「┐」形状（逆Ｌ形状）に互いに連結される。
【００３８】
前記結合突起６４は、第１〜第３チップ部３０、４０、５０のそれぞれの第１〜第３チップブラケット３３、４３、５３に設けられ、より具体的には、ブリッジブラケット１２の両端に結合される第１〜第３チップブラケット３３、４３、５３のそれぞれの結合端に突設される。このような結合突起６４は、第１及び第２溝６２、６３を順次経由することによって、ブリッジユニット１０に対してチップユニット２０を結合させ、逆に、第２溝６３から第１溝６２を順次経由することによって、ブリッジユニット１０に対してチップユニット２０が分離されるようにガイドする。
【００３９】
一方、前記結合ユニット６０は、ブリッジユニット１０とチップユニット２０との間をシールするために、ブリッジユニット１０とチップユニット２０との間に設けられるＯリング（Ｏ−ｒｉｎｇ）６５を含む。前記Ｏリング６５は、一対で設けられ、ブリッジユニット１０のブリッジブラケット１２の両端部とチップユニット２０との間をシールする。より具体的には、前記ブリッジブラケット１２の端部と複数のチップブラケット３３、４３、５３との間にＯリング６５が介在する。
【００４０】
このとき、前記ブリッジブラケット１２よりも第１〜第３チップブラケット３３、４３、５３の外径が小さいことによって、結合突起６４が設けられた第１〜第３チップブラケット３３、４３、５３のそれぞれは、結合溝６１に沿ってブリッジブラケット１２の内部に所定の深さに挿入される。また、前記第１〜第３チップブラケット３３、４３、５３には、ブリッジブラケット１２の外径に対応するように突出した第１〜第３チップ固定段部３４、４４、５４がそれぞれ設けられる。
【００４１】
このような構成によって、前記第１〜第３チップブラケット３３、４３、５３に設けられた結合突起６４が結合溝６１に沿って挿入されて装着された状態で、第１〜第３チップブラケット３３、４３、５３のそれぞれに設けられた第１〜第３チップ固定段部３４、４４、５４にＯリング６５が密着してブリッジユニット１０との間をシールする。
【００４２】
前記のような構成を有する本発明に係る歯科用治療器具１の組立動作を、図２乃至図４を参照して説明する。
【００４３】
図２に示したように、前記第１及び第２チップ部３０、４０がブリッジユニット１０に長手方向に挿入される。このとき、前記第１及び第２チップ部３０、４０のそれぞれの第１及び第２チップブラケット３３、４３にそれぞれ設けられた結合突起６４が、ブリッジユニット１０のブリッジブラケット１２の両端に設けられた結合溝６１の第１溝６２に沿って挿入される。
【００４４】
その後、図３に示したように、前記第１及び第２チップ部３０、４０が、それぞれ、図示の矢印方向に所定角度回転することによって、第１及び第２チップブラケット３３、４３にそれぞれ設けられた結合突起６４が、ブリッジブラケット１２の両端にそれぞれ設けられた結合溝６１の第２溝６３に沿って移動する。これによって、前記ブリッジユニット１０に対して第１及び第２チップ部３０、４０が結合され、挿入方向に遊動せずに固定される。このとき、互いに結合された第１及び第２チップ部３０、４０とブリッジユニット１０との間にはＯリング６５がそれぞれ介在してシールされる。
【００４５】
一方、治療者が、第１及び第２チップ部３０、４０以外の他のチップに交換しようとする場合、前記ブリッジユニット１０に結合された第１及び第２チップ部３０、４０のいずれか１つをブリッジユニット１０から分離させる。より具体的には、前記第１チップ部３０を、図４に示された第３チップ部５０に交換しようとする場合、治療者は、第１チップ部３０を、図３に示された矢印の反対方向に回転させて第２溝６３に沿って結合突起６４を移動させる。その後、治療者は、第１チップ部３０を、図２に示された矢印の反対方向、すなわち、挿入方向に対して反対方向に移動させることによって、第１溝６２に沿って結合突起６４を移動させ、ブリッジユニット１０に対する第１チップ部３０の結合力を解除させる。
【００４６】
前記ブリッジユニット１０に対して第１チップ部３０が除去された状態で、図４に示したように、第３チップ部５０に設けられた結合突起６４が、ブリッジユニット１０に設けられた結合溝６１の第１及び第２溝６２、６３を順次経由することによって、ブリッジユニット１０に第３チップ部５０が結合される。このときにも、互いに結合されたブリッジユニット１０と第３チップ部５０との間にＯリング６５が介在して互いにシールさせる。
【００４７】
以上のように、互いに異なる形状を有する第１〜第３チップ３１、４１、５１を有する第１〜第３チップ部３０、４０、５０のうち、治療者が望むチップ部３０、４０、５０を、ブリッジユニット１０に対して挿入した後、所定角度回転させる動作を通じて、簡便に交換することができる。
【００４８】
上述したように、本発明の好適な実施例を参照して説明したが、当該技術分野における熟練した当業者であれば、以下の特許請求の範囲に記載された本発明の思想及び領域を逸脱しない範囲内で、本発明を様々に修正及び変更できるということが理解できる。
【符号の説明】
【００４９】
１      歯科用治療器具
１０    ブリッジユニット
２０    チップユニット
３０    第１チップ部
４０    第２チップ部
５０    第３チップ部
６０    結合ユニット
６１    結合溝
６４    結合突起
６５    Ｏリング
【図１】
2017148509.tif 000003
【図２】
2017148509.tif 000004
【図３】
2017148509.tif 000005
【図４】
2017148509.tif 000006